(57)【要約】【課題】ゴミなどに被せられる鳥獣防護ネットにおいて、大きな収容空間を確保する。【解決手段】ネット２と、それを支持して被収容物を収容する空間を形成する骨格３とを備える鳥獣防護ネット１において、概略的に、雨傘状に開閉自在に構成するにあたって、複数本でドーム状の空間を形成する親骨３１の基端を拡開自在に筒状の摺動部材３３に結節し、その摺動部材３３が被せられる案内部材３４に受骨３２の一端を拡開自在に結節する一方、案内部材３４の端部から索条３６を引き出しておき、摺動部材３３の内部を挿通させるとともに、閉じた状態で摺動部材３３の一部または全部が、案内部材３４の他端から外れる長さに、該案内部材３４を短く形成しておく。したがって、摺動部材３３の大きなストローク、すなわち被収容物の大きな収容空間を確保しながら、該鳥獣防護ネット１を閉じたときの全長を短く抑えることができる。【選択図】図１
2015218038.tif 000002
【特許請求の範囲】
【請求項１】
被収容物に被せられるネットと、前記ネットを支持して、前記被収容物を前記ネットの内部に収容するための空間を形成する骨格とを備え、鳥獣から前記被収容物を防護する鳥獣防護ネットにおいて、
前記骨格は、
複数本でドーム状の前記空間を形成するために湾曲可能な親骨と、
前記親骨の基端が拡開自在に、一端に結節される筒状の摺動部材と、
前記摺動部材が被せられ、該摺動部材をその軸線方向に摺動自在に支持する案内部材と、
一端が前記案内部材の一端に拡開自在に結節され、他端が前記各親骨の途中にそれぞれ結節されることで、前記案内部材上での摺動部材の摺動によって、前記親骨を拡開する複数本の受骨と、
前記案内部材の他端から引き出されて、前記摺動部材内部を挿通することができる索条とを含み、
前記案内部材は、前記親骨および受骨が閉じた状態では、前記摺動部材の一部または全部が該案内部材の他端から外れる長さに形成され、前記索条は、該案内部材の他端から外れた前記摺動部材の一部または全部を、前記親骨および受骨が開く際に案内することを特徴とする鳥獣防護ネット。
【請求項２】
前記親骨は、円柱または円筒ロッドで形成され、前記受骨との結節点には外側からＵ字状のブラケットが被せられて、そのブラケットに前記受骨の他端が揺動自在に連結されることを特徴とする請求項１記載の鳥獣防護ネット。
【請求項３】
前記摺動部材は、前記案内部材に被せられて、前記軸線方向に摺動自在であるとともに、一端側に前記親骨の基端が結節される第１の部材と、前記第１の部材の外側に被せられる第２の部材とを備え、
前記ネットは、前記ドーム状に裁断および縫製されて成り、その頂部に形成された孔が前記第１の部材へ嵌め込まれ、前記第１の部材に第２の部材が被せられることで、該孔の周縁部が挟持されることを特徴とする請求項１または２記載の鳥獣防護ネット。
【請求項４】
前記索条は、前記案内部材の他端に接続される側の端部とは反対側の端部に、前記摺動部材の内径よりも大径の抜け止め部材が設けられていることを特徴とする請求項１〜３の何れか１項に記載の鳥獣防護ネット。
【請求項５】
前記案内部材の他端側には、前記摺動部材が一端側に変位した状態で、前記摺動部材の他端を係止するように、該案内部材の半径方向に出没自在の係止爪が設けられ、
前記係止爪は、前記案内部材内で前記半径方向の外方側に突出するように付勢されており、かつ前記案内部材の他端側から一端側にかけて、前記半径方向の外方側に突出するような斜辺に形成されていることを特徴とする請求項１〜４の何れか１項に記載の鳥獣防護ネット。
【請求項６】
前記索条が内部を挿通し、かつ前記案内部材の他端側を外囲可能な環状の部分を有し、該環状の部分が、前記摺動部材が一端側に変位した状態で前記案内部材の他端側に嵌め込まれることで、その内周で前記係止爪を案内部材の内部側へ押し込み、係止爪の係止状態を解除する操作部材をさらに備えることを特徴とする請求項５記載の鳥獣防護ネット。
【請求項７】
前記ネットの周縁部は、前記親骨より長く形成されて、地面との隙間を塞ぐひれが形成されていることを特徴とする請求項１〜６の何れか１項に記載の鳥獣防護ネット。
【発明の詳細な説明】
【技術分野】
【０００１】
本発明は、路側や所定の区画等に一時仮置きされるゴミなどの被収容物に被せられて、該被収容物を烏などの鳥類や、犬猫などの獣類から防護する鳥獣防護ネットに関する。
【背景技術】
【０００２】
上記のような鳥獣防護ネットは、従来から広く用いられ、典型的には、ゴミなどの被収容物に、単なるネット（網）が被せられている。一方、ゴミ用に工夫されたネットは、たとえば特許文献１で提案されている。その特許文献１は、円筒状に形成されたネットの下端部に連結金属チェーンを設けて小動物の侵入を防ぐとともに、円筒の上端部は紐で縛るようにし、その紐を電柱などに括り付けることで、風で飛ばないように、また持ち運びを容易にした円筒形ゴミネットである。
【０００３】
しかしながら、上述の何れの従来技術も、被収容物を、ネットを捲り上げて収容したり、取出したりする必要があり、取り扱いが煩雑である。その点、特許文献２や特許文献３で示すゴミステーションは、蓋を開けて出し入れできるので、取り扱いが容易である。
【先行技術文献】
【特許文献】
【０００４】
【特許文献１】特開２０１０−１５９１６３号公報
【特許文献２】特開２０１３−５２９３０号公報
【特許文献３】特開２０１１−１４０３９３号公報
【発明の概要】
【発明が解決しようとする課題】
【０００５】
前記特許文献２や特許文献３による従来技術は、ゴミステーション（所定の区画）に常設されるものであり、特許文献１のように、ゴミの無い日に片付けたり、移動したりする場合には、不向きである。
【０００６】
本発明の目的は、容易に被収容物を覆い、持ち運ぶことができる鳥獣防護ネットを提供することである。
【課題を解決するための手段】
【０００７】
本発明の鳥獣防護ネットは、被収容物に被せられるネットと、前記ネットを支持して、前記被収容物を前記ネットの内部に収容するための空間を形成する骨格とを備え、鳥獣から前記被収容物を防護する鳥獣防護ネットにおいて、前記骨格は、複数本でドーム状の前記空間を形成するために湾曲可能な親骨と、前記親骨の基端が拡開自在に、一端に結節される筒状の摺動部材と、前記摺動部材が被せられ、該摺動部材をその軸線方向に摺動自在に支持する案内部材と、一端が前記案内部材の一端に拡開自在に結節され、他端が前記各親骨の途中にそれぞれ結節されることで、前記案内部材上での摺動部材の摺動によって、前記親骨を拡開する複数本の受骨と、前記案内部材の他端から引き出されて、前記摺動部材内部を挿通することができる索条とを含み、前記案内部材は、前記親骨および受骨が閉じた状態では、前記摺動部材の一部または全部が該案内部材の他端から外れる長さに形成され、前記索条は、該案内部材の他端から外れた前記摺動部材の一部または全部を、前記親骨および受骨が開く際に案内することを特徴とする。
【０００８】
上記の構成によれば、路側や所定の区画等に一時仮置きされるゴミなどの被収容物に被せられるネットと、前記ネットを支持して、前記被収容物を前記ネットの内部に収容するための空間を形成する骨格とを備え、烏などの鳥類や、犬猫などの獣類から前記被収容物を防護する鳥獣防護ネットにおいて、概略的に、雨傘状に開閉自在にする。これによって、ゴミなどの被収容物の収容や取出しを容易に行うことができ、また該鳥獣防護ネットを持ち運ぶことができる。
【０００９】
そして、本発明では、前記雨傘状に開閉自在な骨格を、該鳥獣防護ネットのための格別な構造とする。詳しくは、前記骨格は、複数本の親骨およびそれに対応する複数本の受骨（ステー）と、摺動部材と、案内部材（中棒、シャフト）と、索条とを備えて構成する。前記親骨は、前記複数本でドーム状、特に天井の広い釣り鐘状から円筒状の前記空間を形成するために湾曲可能であり、その親骨の基端を拡開自在に筒状の摺動部材に結節し、その摺動部材が被せられて該摺動部材をその軸線方向に摺動自在に支持する案内部材に、受骨の一端を拡開自在に結節し、他端を前記各親骨の途中にそれぞれ結節することで、案内部材上での摺動部材の摺動によって、前記雨傘状に、受骨が親骨を拡開する。
【００１０】
そして、雨傘では、案内部材は、使用者が把持するシャフトとなってドームの内側に突出するが、本発明ではドームの内側は被収容物を収容するための空間となるので、前記案内部材は受骨の一端の結節点までの長さしか形成されない。一方、案内部材は摺動部材を案内する必要があり、摺動幅、すなわちストロークを大きくした方が、受骨が親骨を押し拡げる幅方向の拡がりが得られる。しかしながら、前記ストロークを大きくすることは、該案内部材がドームの頂部から大きく突出することになり、鳥獣防護ネットを閉じたときの全長が長くなる。
【００１１】
そこで、本発明では、案内部材において、前記受骨の一端が結節される側とは反対側の端部から索条を引き出しておき、摺動部材内部を挿通させる。そして、親骨および受骨が閉じた状態では、前記摺動部材の一部または全部が、該案内部材の他端から外れる長さに、該案内部材を短く形成する。したがって、使用者は索条を引き、案内部材を摺動部材に嵌め合わせ、さらに案内部材上で摺動部材を摺動させることで、受骨および親骨を拡開することができる。
【００１２】
したがって、摺動部材の大きなストローク、すなわち被収容物の大きな収容空間を確保しながら、該鳥獣防護ネットを閉じたときの全長を短く抑えることができる。
【００１３】
また、本発明の鳥獣防護ネットでは、前記親骨は、円柱または円筒ロッドで形成され、前記受骨との結節点には外側からＵ字状のブラケットが被せられて、そのブラケットに前記受骨の他端が揺動自在に連結されることを特徴とする。
【００１４】
上記の構成によれば、通常の雨傘などでは、親骨は、軸直角断面がＵ字状に形成され、そのＵ字の両側片を延長（隆起）させて、受骨の他端を連結する結節点が形成されることが多いのに対して、本発明では、前記結節点を形成するためにＵ字状のブラケットを別途用い、そのＵ字状のブラケットを親骨に被せる一方、親骨には円柱または円筒ロッドを使用する。
【００１５】
したがって、通常の雨傘などでは、親骨は、前記軸直角断面がＵ字の両側片がリブのように作用して撓み難いのに対して、本発明では、親骨は、円柱または円筒ロッドで撓み易く、該親骨を、前記結節点を境に、すなわち受骨の取付き部分の外側で、大きく撓ませることができる。これによって、該鳥獣防護ネットの上部まで、広い幅を確保して、被収容物の収容量を増やすことができる。
【００１６】
さらにまた、本発明の鳥獣防護ネットでは、前記摺動部材は、前記案内部材に被せられて、前記軸線方向に摺動自在であるとともに、一端側に前記親骨の基端が結節される第１の部材と、前記第１の部材の外側に被せられる第２の部材とを備え、前記ネットは、前記ドーム状に裁断および縫製されて成り、その頂部に形成された孔が前記第１の部材へ嵌め込まれ、前記第１の部材に第２の部材が被せられることで、該孔の周縁部が挟持されることを特徴とする。
【００１７】
上記の構成によれば、ネットの頂部は、孔の周囲が、裂けたり、網が解けたりしないように、適宜補強をしておくだけで、摺動部材を構成する第１および第２の部材間に挟み込むだけで固定することができ、組立てが容易であるとともに、ネットを骨格から適宜取り外しての洗濯なども可能になる。
【００１８】
また、本発明の鳥獣防護ネットでは、前記索条は、前記案内部材の他端に接続される側の端部とは反対側の端部に、前記摺動部材の内径よりも大径の抜け止め部材が設けられていることを特徴とする。
【００１９】
上記の構成によれば、案内部材の受骨が連結される側とは反対側の端部から引き出される索条は、受骨および親骨（該鳥獣防護ネット）を閉じた状態で、反対側の端部は、摺動部材の他端から突出している長さに形成されるが、前記摺動部材の内部を挿通する索条だけでは、受骨および親骨（該鳥獣防護ネット）を閉じる際に、索条は摺動部材内に勢い良く引き込まれることもある。そこで、前記索条の端部に、前記摺動部材の内径よりも大径の抜け止め部材、たとえば索条を通した玉などを設けておく。
【００２０】
したがって、受骨および親骨（該鳥獣防護ネット）を閉じる際に、索条が摺動部材内に完全に引き込まれてしまうことを防止でき、次に開ける際の作業性を向上することができる。
【００２１】
さらにまた、本発明の鳥獣防護ネットでは、前記案内部材の他端側には、前記摺動部材が一端側に変位した状態で、前記摺動部材の他端を係止するように、該案内部材の半径方向に出没自在の係止爪が設けられ、前記係止爪は、前記案内部材内で前記半径方向の外方側に突出するように付勢されており、かつ前記案内部材の他端側から一端側にかけて、前記半径方向の外方側に突出するような斜辺に形成されていることを特徴とする。
【００２２】
上記の構成によれば、受骨および親骨（該鳥獣防護ネット）が開いた状態、すなわち摺動部材が一端側に変位した状態で、該摺動部材を案内部材に係止して、閉じないように維持する必要がある。そこで、案内部材の他端側に、摺動部材の他端を係止するように、該案内部材の半径方向に出没自在の係止爪を設ける。そして、前記係止爪を、案内部材の外方側に突出するように付勢しておき、かつ前記案内部材の他端側から一端側にかけて高くなる斜辺に形成しておく。すなわち、該係止爪を略三角形に形成する。
【００２３】
したがって、たとえば受骨および親骨（該鳥獣防護ネット）が閉じた状態で、摺動部材の全部が案内部材の他端から外れる長さに形成される場合、受骨および親骨（該鳥獣防護ネット）を開くために案内部材の他端から摺動部材の一端を嵌め込むと、係止爪は摺動部材の一端で押し込まれて案内部材内に没入し、摺動部材の他端が係止爪を完全に通過すると、該係止爪は突出し、摺動部材の他端を係止する。
【００２４】
したがって、受骨および親骨（該鳥獣防護ネット）が開いた状態に維持する作業が容易である。なお、係止爪の斜辺を押し込むことで係止状態を容易に解除できるので、摺動部材の一部が案内部材の他端から外れる長さに形成される場合でも、前記略三角形の係止爪を設けることは効果的である。
【００２５】
また、本発明の鳥獣防護ネットでは、前記索条が内部を挿通し、かつ前記案内部材の他端側を外囲可能な環状の部分を有し、該環状の部分が、前記摺動部材が一端側に変位した状態で前記案内部材の他端側に嵌め込まれることで、その内周で前記係止爪を案内部材の内部側へ押し込み、係止爪の係止状態を解除する操作部材をさらに備えることを特徴とする。
【００２６】
上記の構成によれば、前記摺動部材が一端側に変位した状態、すなわち該鳥獣防護ネットが開いた状態で、前記索条を引っ張りながら操作部材を移動させ、その環状の部分を案内部材の他端側に嵌め込むことで、該環状の部分の内周で前記係止爪の斜辺を押さえ込んでゆき、係止爪の係止状態を解除することができる。
【００２７】
したがって、親骨の大きな撓みによって発生する力で、係止爪と摺動部材とが強固に係合していても、閉じる際に、それらの間に指先や爪先が挟み込まれたりすることを防止することができる。
【００２８】
好ましくは、前記操作部材は、帽状に形成され、前記帽状の突出部分の頂部に前記索条の挿通孔が形成されるとともに、前記突出部分が前記環状の部分となって、その内周に前記案内部材の他端側が嵌り込み、前記帽状の鍔の部分から、その鍔の外周から垂下する部分が、前記摺動部材の他端側に当接し、前記鍔の部分から垂下する部分の外周が把持されて、前記係止爪の係止状態が解除されることを特徴とする。
【００２９】
上記の構成によれば、前記操作部材が帽状に形成されることで、前記帽状の突出部分が前記環状の部分となって係止爪を押え込むとともに、前記帽状の鍔の部分が摺動部材を押し戻し、係止爪と摺動部材の他端との間の係止状態を緩める。しかも使用者は前記帽状の鍔の部分およびその鍔の外周から垂下する部分を把持することができる。
【００３０】
したがって、操作部材を案内部材に被せて該鳥獣防護ネットを閉じる作業を容易に行うことができる。また、係止爪を押し込んだ操作部材がさらに摺動部材の他端側を押出そうとしても、前記索条が通る孔が形成されているだけの突出部分の頂部が案内部材の他端側に当接する。したがって、該鳥獣防護ネットを閉じる際に該鳥獣防護ネットを過剰に拡げて、破損させてしまうようなことを防止することもできる。
【００３１】
また好ましくは、前記ネットは、黄色の糸が撚り込まれていることを特徴とする。
【００３２】
上記の構成によれば、ネットの糸に烏が認識し難い黄色の糸が撚り込まれていることで、被収容物が烏に見え難くなり、該被収容物がゴミの場合に、烏に荒らされる可能性を小さくすることができる。
【００３３】
さらに好ましくは、前記ネットは、カプサイシンを含侵させた糸が撚り込まれていることを特徴とする。
【００３４】
上記の構成によれば、カプサイシンの辛味は、鳥獣にとって慣れが無く、痛みとして感じられる。したがって、ネットの糸にカプサイシンを含侵させておくことで、前記鳥獣はネットを忌避し、被収容物を荒らされる可能性を小さくすることができる。
【００３５】
また、本発明の鳥獣防護ネットでは、前記ネットの周縁部は、前記親骨より長く形成されて、地面との隙間を塞ぐひれ（領巾）が形成されていることを特徴とする。
【００３６】
上記の構成によれば、該鳥獣防護ネットを拡開した状態では、ひれ（領巾）が地面に横たわるので、前記地面の凹凸などによる隙間を塞ぐことができ、ネット内へのネズミなどの小動物の侵入を防ぐことができる。
【発明の効果】
【００３７】
本発明の鳥獣防護ネットは、以上のように、ゴミなどの被収容物に被せられるネットと、前記ネットを支持して、前記被収容物を前記ネットの内部に収容するための空間を形成する骨格とを備える鳥獣防護ネットにおいて、概略的に、雨傘状に開閉自在に構成するにあたって、複数本でドーム状の前記空間を形成する親骨の基端を拡開自在に筒状の摺動部材に結節し、その摺動部材が被せられる案内部材に受骨の一端を拡開自在に結節し、案内部材において、前記受骨の一端が結節される側とは反対側の端部から索条を引き出しておき、摺動部材の内部を挿通させるとともに、親骨および受骨が閉じた状態では、前記摺動部材の一部または全部が、該案内部材の他端から外れる長さに、該案内部材を短く形成しておく。
【００３８】
それゆえ、摺動部材の大きなストローク、すなわち被収容物の大きな収容空間を確保しながら、該鳥獣防護ネットを閉じたときの全長を短く抑えることができる。
【図面の簡単な説明】
【００３９】
【図１】本発明の実施の一形態に係る鳥獣防護ネットの斜視図である。
【図２】前記鳥獣防護ネットにおける骨格の使用状態を示す斜視図である。
【図３】前記骨格における摺動部材および案内部材付近を下方から見た斜視図である。
【図４】前記摺動部材および案内部材付近を拡大した側面図である。
【図５】前記摺動部材および案内部材付近を拡大した側面図である。
【図６】図５の一部を透視した側面図である。
【図７】前記摺動部材および案内部材付近を拡大した断面図である。
【図８】前記摺動部材および案内部材付近を下方から見て拡大した斜視図である。
【図９】前記摺動部材の構造を示す分解斜視図である。
【図１０】前記鳥獣防護ネットの閉じた状態での斜視図である。
【図１１】前記骨格における親骨と受骨との連結部の分解斜視図である。
【図１２】前記鳥獣防護ネットを閉じる際に好適に用いられる操作部材を上方から見た斜視図である。
【図１３】前記操作部材を下方から見た斜視図である。
【図１４】前記操作部材の平面図、側面図および断面図である。
【発明を実施するための形態】
【００４０】
図１は本発明の実施の一形態に係る鳥獣防護ネット１を上方から見た斜視図である。この鳥獣防護ネット１は、被収容物に被せられるネット２と、ネット２を支持して、被収容物をネット２の内部に収容するための空間を形成する骨格３とを備えて構成される。この鳥獣防護ネット１は、概略的に、雨傘状に開閉自在である。これによって、該鳥獣防護ネット１を開けて被せるだけで被収容物を収容することができ、取り上げるだけで被収容物を取出すことができ、閉じることで持ち運ぶことができる。こうして、被収容物の出し入れや、該鳥獣防護ネット１の片付けを容易に行うことができるようになっている。
【００４１】
以下、本実施形態の鳥獣防護ネット１は、被収容物として、路側や所定の区画等に一時仮置きされるゴミを例示して説明するが、農産物など、烏などの鳥類や、犬猫などの獣類から防護すべきものであればよい。なお、図１は、骨格３にネット２を被せた該鳥獣防護ネット１の完成品での使用状態（開けた状態）を示すが、以降の図は、理解し易くするために、主に骨格３のみで示している。そして、図１では、骨格３を分かり易くするために、ネット２を、実際の網目より荒く描いている。
【００４２】
図２は骨格３の使用状態（開けた状態）を示す斜視図である。骨格３は、前記雨傘状に開閉自在とするために、複数本の親骨３１およびそれに対応する複数本の受骨（ステー）３２と、摺動部材３３と、案内部材（中棒、シャフト）３４とを備え、さらに石突３５と、索条３６と、抜け止め部材３７とを備えて構成される。
【００４３】
図３は図２の摺動部材３３および案内部材３４付近を下方から見た斜視図であり、図４および図５は前記摺動部材３３および案内部材３４付近を拡大した側面図であり、図６は図５の一部を透視した側面図であり、図７は前記摺動部材３３および案内部材３４付近を拡大した断面図であり、図８は前記摺動部材３３および案内部材３４付近を下方から見て拡大した斜視図である。
【００４４】
図１〜図８を参照して、親骨３１は、複数本でドーム状、特に天井の広い釣り鐘状から円筒状の前記空間を形成するために湾曲可能な円柱または円筒ロッド、たとえば錆びないように細いステンレス棒から成り、その基端３１１が、筒状の摺動部材３３の一端に形成されるフランジ３３１に、拡開自在に結節される。具体的には、筒状の摺動部材３３は、たとえば黒色のポリエチレン樹脂成形品から成り、その一端は、拡径されてフランジ３３１に形成されている。そのフランジ３３１には、周方向に等間隔に（本実施形態では６０°毎に６箇所）、半径方向外方側から内方側へ、スリット３３１１が形成されるとともに、フランジ３３１の厚み方向の中央付近には、全周に連なる溝３３１２が形成されている。そして、親骨３１の基端３１１には、前記円柱または円筒ロッドの端部が押し潰されて、板状の連結部３１４が形成されており、その連結部３１４がスリット３３１１に嵌め込まれるとともに、その連結部３１４に形成された孔３１４１に前記溝３３１２に嵌め込まれるリング３１５が挿通することで、親骨３１がリング３１５、したがって摺動部材３３のフランジ３３１に、揺動自在に連結される。
【００４５】
前記摺動部材３３は案内部材３４に被せられ、軸線方向に摺動自在に支持される。案内部材３４は、たとえば黒色のポリエチレン樹脂成形品から成り、その一端に形成されるフランジ３４１には、円柱または円筒ロッド、たとえば細いステンレス棒から成る受骨３２の一端３２１が拡開自在に結節される。
【００４６】
前記受骨３２も、たとえば錆びないように細いステンレス棒から成り、その案内部材３４への連結も、前記親骨３１の摺動部材３３への連結と同様である。具体的には、筒状の案内部材３４の一端は、拡径されてフランジ３４１に形成されている。そのフランジ３４１には、周方向に等間隔に、半径方向外方側から内方側へスリット３４１１が形成されるとともに、フランジ３４１の厚み方向の中央付近には、全周に連なる溝３４１２が形成されている。そして、受骨３２の基端３２１には、前記円柱または円筒ロッドの端部が押し潰されて、板状の連結部３２４が形成されており、その連結部３２４がスリット３４１１に嵌め込まれるとともに、その連結部３２４に形成された孔３２４１に前記溝３４１２に嵌め込まれるリング３２５が挿通することで、受骨３２がリング３２５、したがって案内部材３４のフランジ３４１に、揺動自在に連結される。
【００４７】
前記受骨３２の他端３２２は、各親骨３１の途中３１３にそれぞれ結節される。その結節点を形成するために、本実施形態ではＵ字状のブラケット３２６を別途用い、そのＵ字状のブラケット３２６を親骨３１の途中３１３に被せ、このブラケット３２６に受骨３２を連結している。詳しくは、ブラケット３２６は、かしめ止めやロウ付けなどによって、親骨３１の途中３１３に固着される。一方、円柱または円筒ロッドから成る受骨３２の他端３２２には、一端３２１側の連結部３２４と同様に、その端部が押し潰されて、板状の連結部３２７が形成されている。そして、その連結部３２７がＵ字状のブラケット３２６の両側片３２８の間に嵌め込まれるとともに、その連結部３２７に形成された孔に前記ブラケット３２６の両側片３２８に支持されるピン３２９が挿通し、枢支することで、受骨３２がブラケット３２６に揺動自在に連結される。このように構成することで、案内部材３４上での摺動部材３３の他端側から一端側への摺動によって、受骨３２が親骨３１を雨傘状に拡開することができるようになる。
【００４８】
また、通常の雨傘などでは、親骨は、軸直角断面がＵ字状に形成され、そのＵ字の両側片を延長（隆起）させて、受骨の他端を連結する結節点が形成されることが多く、その場合、Ｕ字の両側片がリブのように作用して撓み難くなる。これに対して、本実施形態では、上述のように、別部品のブラケット３２６を用いているので、上述のように、親骨３１には、撓み易い円柱または円筒ロッドを使用することができる。これによって、親骨３１を、前記結節点を境に、すなわち受骨３２の取付き部分の外側で、大きく撓ませることができ、釣り鐘状に該鳥獣防護ネット１の上部まで、広い幅を確保して、被収容物の収容量を増やすことができる。
【００４９】
前記の摺動部材３３の他端側から一端側への摺動に対しては、案内部材３４において、前記フランジ３４１の手前の適宜の位置には、拡径して当り片３４９が形成されており、前記摺動部材３３の過剰な移動による親骨３１の変形を防止している。親骨３１の他端３１２には、石突３５が嵌め込まれており、この石突３５にはネット２の下端部を縫い付けるための糸を通す孔が形成されている。
【００５０】
一方、案内部材３４の他端側には、摺動部材３３が一端側に（当り片３４９の手前近くに）変位した状態で、該摺動部材３３の他端を係止する係止爪３４３が設けられている。係止爪３４３は、筒状の案内部材３４の外周面から半径方向に出没自在となっている。具体的には、図６および図７の例では、筒状の案内部材３４の他端側には、前記係止爪３４３のための開口３４４が形成されている。その開口３４４には、軸線方向の断面が略直角三角形状の前記係止爪３４３が嵌め込まれる。
【００５１】
係止爪３４３は、案内部材３４の他端３４２側から一端（フランジ３４１）側にかけて緩やかに隆起する斜辺３４６と、急激に落ち込む底辺３４７とを有する。そして、この係止爪３４３は、前記直角三角形の鋭角側の頂点から延び、前記軸線方向の断面がＪ字状に形成されるばね片３４５と、樹脂成形品などによって一体で形成される。ばね片３４５は、前記Ｊ字の短辺側が前記直角三角形の鋭角側の頂点に連結され、長辺は、前記筒状の案内部材３４において、前記開口３４４とは反対側付近の内周面に接触している。さらに、ばね片３４５は、直線状に延びる方向に弾発力を発生し、これによって係止爪３４３は、案内部材３４内で、半径方向の外方側に突出するように付勢されることになる。
【００５２】
したがって、受骨３２に親骨３１を拡開させるために、案内部材３４の他端３４２側から一端（フランジ３４１）側へ摺動部材３３を摺動させ、摺動部材３３の他端３３６側が、斜辺３４６を乗り越え、底辺３４７に落ち込むと、ばね片３４５の弾発力によって係止爪３４３が開口３４４から突出し、前記底辺３４７で摺動部材３３の他端３３６側を係止する。こうして、係止爪３４３は、受骨３２および親骨３１（該鳥獣防護ネット１）が開いた状態、すなわち摺動部材３３が一端側に変位した状態で、後述するように親骨３１が大きく撓んで発生する弾発力を受け止め、該摺動部材３３を案内部材３４に係止して、閉じないように維持することができる。これによって、受骨３２および親骨３１（該鳥獣防護ネット１）が開いた状態に維持する作業が容易になる。また、係止爪３４３の斜辺３４６を押し込むことで、係止状態を容易に解除できる。
【００５３】
図９は、摺動部材３３の構造を示す分解斜視図である。この図９および図７を参照して、摺動部材３３は、筒状の本体３３２と、前記フランジ３３１と、カバー３３３とを備えて構成される。本体３３２の内周は円筒状に形成され、外周側は、一端に前記フランジ３３１が取付けられ、そのフランジ３３１が取付けられる部分以外の部分には、外ねじ３３４が形成される。その外ねじ３３４部分に、カバー３３３の内ねじ３３５が螺合して、カバー３３３は本体３３２に一体化される。本体３３２およびフランジ３３１は第１の部材を構成し、カバー３３３は第２の部材を構成する。
【００５４】
カバー３３３の外形は、大略的に糸巻き状に形成される。すなわち、狭幅の中央部３３３１の両側から、広幅のフランジ部３３３２，３３３３が延びたＩ字状に形成される。これによって、使用者は、たとえば親指と人差し指とで前記中央部３３３１を摘まみ、或いは人差し指と中指との間に前記中央部３３３１を挟み込み、持ち運びや、被収納物を出し入れする作業を容易に行うことができる。
【００５５】
一方、前記ネット２は、図１で示すように、ドーム状に裁断および縫製されて成り、図４で示すように、その頂部２１に形成された孔２２が、前記第１の部材へ嵌め込まれ、前記第１の部材に第２の部材が被せられることで、該孔２２の周縁部が挟持される。図１および図４では、前記孔２２の周囲には、環状の当て布２３が、縫い付けや接着などで取付けられている。こうして、ネット２の頂部２１において、孔２２の周囲を、裂けたり、網が解けたりしないように、適宜補強をしておくだけで、摺動部材３３を構成する第１および第２の部材間にネット２の頂部２１を挟み込むだけで固定することができ、組立てが容易であるとともに、ネット２を骨格３から適宜取り外しての洗濯なども可能になっている。
【００５６】
そして、注目すべきは、図１０で示すように、親骨３１および受骨３２が閉じた状態で、摺動部材３３の一部または全部（本実施形態では全部）が、案内部材３４の他端３４２から外れる長さに、該案内部材３４が形成され、該案内部材３４の他端３４２から外れた前記摺動部材３３の一部または全部を、前記親骨３１および受骨３２が開く際に、索条３６が案内することである。
【００５７】
ここで、雨傘では、案内部材３４は、使用者が把持するシャフトとなってドームの内側に突出するが、本実施形態では、ドームの内側は被収容物を収容するための空間となるので、案内部材３４は受骨３２の一端３２１の結節点、つまりフランジ３４１までの長さしか形成されない。一方、案内部材３４は摺動部材３３を案内する必要があり、摺動幅、すなわちストロークを大きくした方が、受骨３２が親骨３１を押し拡げる幅方向の拡がりが得られる。しかしながら、前記ストロークを大きくすることは、該案内部材３４がドームの頂部から大きく突出することになり、鳥獣防護ネット１を閉じたときの全長が長くなる。
【００５８】
そこで、本実施形態では、上述のように、閉じた状態で、摺動部材３３の一部または全部（本実施形態では全部）が、案内部材３４の他端３４２から外れる長さに形成しておくことで、摺動部材３３の大きなストローク、すなわち被収容物の大きな収容空間を確保しながら、図１０で示すように、該鳥獣防護ネット１を閉じたときの全長を短く抑えることができる。つまり、親骨３１および受骨３２を閉じた状態で、摺動部材３３の一部または全部が案内部材３４の他端３４２から外れる長さに形成しておくことで、親骨３１に対する受骨３２の取付け位置を下げ、すなわち受骨３２を長くすることができ、ドームの天井を広く取ることができる。
【００５９】
しかしながら、そうすると、摺動部材３３は、案内部材３４内から多数の親骨３１および受骨３２に囲まれた空間に位置することになり、使用者は、案内部材３４の他端３４２側から、摺動部材３３を引き出せなくなる。そこで、案内部材３４の他端３４２から索条３６を引き出し、摺動部材３３の本体３３２内を引き通しておくことで、使用者は、親骨３１および受骨３２を開く際に、摺動部材３３を把持した状態で、索条３６を引き出すことで、該摺動部材３３内に案内部材３４を挿通させ、少なくとも他端３４２側を突出させることができる。これによって、使用者は、上述のように摺動部材３３を案内部材３４の他端３４２側から一端（フランジ３４１）側へ摺動させることができる。
【００６０】
その際、摺動部材３３の全部が案内部材３４から外れていると、使用者は索条３６を引き、案内部材３４を摺動部材３３に嵌め合わせ、さらに案内部材３３上で摺動部材３４を摺動させることで、受骨３２および親骨３１を拡開することができる。また、この場合、係止爪３４３は、その斜辺３４６が摺動部材３３の一端（フランジ３３１）側で押し込まれて案内部材３４内に没入し、他端３３６が通過すると、係止爪３４３が突出する。
【００６１】
前記索条３６は、案内部材３４の他端３４２に形成された孔３４８を挿通される。その孔３４８の周囲は、図５に示すように、面取り３４７が施されており、これによって該索条３６を通した状態の案内部材３４が、摺動部材３３内を挿通可能となる。前記孔３４８は、図７の断面で示すように、前記Ｊ字のばね片３４５の屈曲部分に形成されており、索条３６は、その屈曲部分を通過する。
【００６２】
本実施形態では、前記索条３６は、１本の紐をループ状に連結して作成されており、そのループは、前記の案内部材３４に形成された孔３４８を通るとともに、図１〜３，９で示すように、抜け止め部材３７に形成された孔３７１を通る。抜け止め部材３７は、前記索条３６において、案内部材３４を挿通する端部側とは反対側の端部に位置し、摺動部材３３の内径よりも大径に形成される。本実施形態では、抜け止め部材３７は、索条３６を通した玉であり、たとえば黒色のポリエチレン樹脂成形品から成る。
【００６３】
このように構成することで、図１０で示すように、索条３６は、受骨３２および親骨３１（該鳥獣防護ネット１）を閉じた状態で、摺動部材３３の他端３３６から、少なくともその一部が突出している（引き出されている）長さに形成されるが、閉じる際に、勢い良く引き込まれても、抜け止め部材３７が、該索条３６の全長が摺動部材３３内に完全に引き込まれてしまうことを防止することができる。これによって、次に開ける際の作業性を向上することができる。
【００６４】
前記索条３６は、強度的に綿以外の素材から成り、麻などの天然繊維、或いは合成繊維を撚って形成され、たとえば直径２〜３ｍｍで、ループ全長が３ｍに形成される。ただし、索条３６は、糸に限らず、ビニルテープやフィルムなどであってもよい。また、索条３６は、ループ状に形成されず、該索条３６の一端が案内部材３４の孔３４８に括り付けられ、他端が抜け止め部材３７の孔３７１に括り付けられてもよい。
【００６５】
本実施形態では、たとえば親骨３１の長さは７３ｃｍ、受骨３２の長さは１３ｃｍに形成され、さらに図１で示すように、骨格３は、開けた状態の平面視で六角形に形成され、たとえば１辺が３５ｃｍ、高さはネット２の頂部２１まで５０ｃｍ、摺動部材３３の他端３３６まで６０ｃｍであり、４５Ｌのゴミ袋を１個収容可能である。
【００６６】
ネット２は、たとえば５ｍｍ×５ｍｍピッチのラッセル網のネットから成る。このラッセル網のネットは、レース状に編まれており、そのため結節部が無く、また生産能力が高く、掛目が多く取れるという利点があり、本発明の鳥獣防護ネット１に好適である。
【００６７】
さらに、ネット２の糸は、黄色２本と黒色１本の糸が撚られて構成される。したがって、黄色は烏が認識し難いので、被収容物が烏に見え難くなり、該被収容物が烏に荒らされる可能性を小さくすることができる。
【００６８】
また、前記黒色の糸には、カプサイシンが含侵させた糸が撚り込まれている。具体的には、パウダー状のカプサイシンが、糸の原料であるポリエチレンに練り込まれた後、糸に形成され、１０年程度の薬効を有する。したがって、カプサイシンの辛味は、鳥獣にとって慣れが無く、痛みとして感じられるので、鳥獣はネット２を忌避し、被収容物を荒らされる可能性を小さくすることができる。
【００６９】
さらに、黒色の糸を黄色の糸と合わせて撚ることで、黒色の糸が目立たず、黄色の糸が顕著に目立つことになるので、烏避けに効果的である。なお、カプサイシンを含侵させた糸は、黒色に限らず、濃色の糸であればよい。また、必ずしもカプサイシンを含侵させておく必要は無く、その場合は、総ての糸に黄色の糸が用いられてもよい。
【００７０】
また、上述のように、本実施形態では、Ｕ字状のブラケット３２６および円柱または円筒ロッドから成る親骨３１を使用することで、親骨３１をブラケット３２６付近で大きく撓ませ、広い天井空間を確保している。そのため、ネット２は、笹の葉を２つに分割したような形状に裁断或いは縫い上げられた小片２１を、たとえば縫製、接着或いは融着することで前記ドーム状に形成される。図１の例では、前記ドームは、１２枚の小片２４を組合わせて構成される。小片２４の数は、互いの接合部が、少なくとも親骨３１の位置を含む枚数であればよく、すなわち図１の例では、６本の親骨３１に対して、６の整数倍の枚数で構成される。
【００７１】
そして、ネット２（各小片２４）の下端は、親骨３１より長く形成されて、周縁部に地面との隙間を塞ぐひれ（領巾）２５が形成されている。ひれ（領巾）２５の幅は、たとえば４ｃｍである。したがって、該鳥獣防護ネット１を拡開した状態では、ひれ（領巾）２５が地面に横たわるので、地面の凹凸などによる隙間を塞ぐことができ、ネット２内へのネズミなどの小動物の侵入を防ぐことができる。
【００７２】
また、上述の実施形態では、親骨３１および受骨３２は、細いステンレス棒から形成されるが、同様の強度を備えていて、軽量のグラスファイバーが用いられてもよい。その場合、前記の連結部３１４；３２４，３２７は、前記ステンレス棒の端部が押し潰されて平板状に形成されているが、図１１で示すような、別部品の連結部材３８が接着されて構成されてもよい。この連結部材３８は、樹脂成形品から成り、前記親骨３１および受骨３２の端部が嵌め込まれて接着固定される筒部３８１と、その筒部３８１に連なる連結部３８２とを備えて構成される。
【００７３】
同様に、親骨３１および受骨３２がグラスファイバーから形成される場合、前記ブラケット３２６に代えて、図１１で示すようなブラケット３９が用いられてもよい。図１１は、前記骨格における親骨３１と受骨３２との連結部の分解斜視図である。ブラケット３９は、前記親骨３１が挿通される筒部３９１と、前記筒部３９１の外周から立設される一対の連結片３９２とを備えて構成される。
【００７４】
また、親骨３１や受骨３２にグラスファイバーを用いる場合、前記連結部３１４；３２４，３２７を別の板金部品で作成し、グラスファイバーにかしめ止めされるようにしてもよい。
【００７５】
本実施形態では、前記ピン３２９に代えて、真鍮などから成る鳩目鋲４０が用いられる。そのため、連結部３８２の先端には、前記リング３１５，３２５や鳩目鋲４０が挿通する孔３８４が形成されており、連結片３９２には、鳩目鋲４０が挿通する孔３９３が形成されている。親骨３１の途中３１３に接着されたブラケット３９における一対の連結片３９２間に、受骨３２の他端３２２に接着された連結部材３８の連結部３８２が挟み込まれ、連通した孔３９３，３８４に鳩目鋲４０が挿通され、その先端４０１が図示しない鳩目パンチによって参照符号４０２で示すように拡開されることによって、連結部材３８がブラケット３９に、すなわち前記受骨３２が親骨３１に揺動自在となる。
【００７６】
これらの連結部材３８、ブラケット３９および鳩目鋲４０を用いることで、親骨３１および受骨３２にグラスファイバーを用いることができる。グラスファイバーは、元来黒色で、前記黄色が主体のネット２の内側で、黒色の糸と同様に目立ち難く、好適である。
【００７７】
さらに、親骨３１にグラスファイバーを用いる場合、親骨３１の大きな撓みによって発生する力で、係止爪３４３の底辺３４７と摺動部材３３の他端３３６とが強固に係合する。そのため、該鳥獣防護ネット１を閉じる際には、それらの間に指先や爪先が挟み込まれたりする可能性がある。そこで、好ましくは、索条３６を図１２〜図１４で示すような操作部材５に通しておくことで（抜け止め部材３７の手前に）、そのような不具合を未然に防止することができる。
【００７８】
図１２は操作部材５を上方から見た斜視図であり、図１３は下方から見た斜視図である。また、図１４には、（ａ）に平面、（ｂ）に側面、（ｃ）に断図を、それぞれ示す。これらの図１２〜図１４から明らかなように、操作部材５は、大略的に帽状に形成され、突出部５１と、鍔部５２と、垂下部５３とを備え、樹脂成形品などで一体成形される。
【００７９】
突出部５１は、有底円筒状に形成され、頂（有底円筒の底）部５１１の中央に、索条３６の挿通孔５１３が形成されるとともに、環状の部分である筒部５１２内に、案内部材３４の他端３４２側が嵌り込む。この筒部５１２の開口端から、摺動部材３３の他端３３６に当接する鍔部５３が半径方向外方に延びて形成される。その鍔部５２の外周縁部からは、円筒状の垂下部５３が形成される。
【００８０】
したがって、摺動部材３３が案内部材３４の一端３４１側に変位した状態、すなわち該鳥獣防護ネット１が開いた状態で、使用者が索条３６を引っ張りながら該操作部材５を、その鍔部５２から垂下部５３の外周を把持して移動させ、環状の部分である筒部５１２を案内部材３４の他端３４２側に嵌め込むことで、該筒部５１２の内周で係止爪３４３の斜辺３４６を押さえ込んでゆくとともに、鍔部５２が摺動部材３３を押し戻し、前記係止爪３４３の底辺３４７と摺動部材３３の他端３３６との間の係止状態を緩める。こうして、操作部材５を用いることで、係止爪３４３の係止状態を極めて容易に、かつ安全に解除することができる。
【００８１】
またその際、係止爪３４３を押し込んだ操作部材５が、その鍔部５２で、さらに摺動部材３３の他端３３６側を押出そうとしても、索条３６が通る孔５１３が形成されているだけの突出部５１の頂部５１１が案内部材３４の他端３４２側に当接するので、該鳥獣防護ネット１を閉じる際に、該鳥獣防護ネットを過剰に拡げて、破損させてしまうようなことを防止することもできる。
【符号の説明】
【００８２】
１    鳥獣防護ネット
２    ネット
２３    当て布
２４    小片
２５    ひれ
３    骨格
３１    親骨
３１５，３２５    リング
３２    受骨
３２６  ブラケット
３３    摺動部材
３３１，３４１    フランジ
３３２  本体
３３３  カバー
３４    案内部材
３４３  係止爪
３４５  ばね片
３４６  斜辺
３４７  底辺
３４９  当り片
３６    索条
３７    抜け止め部材
３８    連結部材
３９    ブラケット
４０    鳩目鋲
５    操作部材
５１    突出部
５２    鍔部
５３    垂下部
【図１】
2015218038.tif 000003
【図２】
2015218038.tif 000004
【図３】
2015218038.tif 000005
【図４】
2015218038.tif 000006
【図５】
2015218038.tif 000007
【図６】
2015218038.tif 000008
【図７】
2015218038.tif 000009
【図８】
2015218038.tif 000010
【図９】
2015218038.tif 000011
【図１０】
2015218038.tif 000012
【図１１】
2015218038.tif 000013
【図１２】
2015218038.tif 000014
【図１３】
2015218038.tif 000015
【図１４】
2015218038.tif 000016